(57)【要約】【課題】画面を共有できる通信ネットワークに接続された端末の機能制限方法を提供する。【解決手段】優先権送信機器が複数の端末の何れか１つの端末に優先権情報を送信し、優先権情報を受付けた端末が、制限端末情報に基づいて機能を制限する端末に機能制限情報を送信する。そして、機能制限情報を受付けた端末の制限処理部１０４が、画面情報配信処理部１０５または他端末画面情報操作処理部１０６または他端末共有ファイル表示処理部１０７または他端末共有ファイル操作処理部１０８のいずれかの機能を機能制限情報に基づいて制限する。【選択図】  図１
2004280579.tif 000002
【特許請求の範囲】
【請求項１】
複数の端末を備えた通信ネットワークにおける前記端末の機能制限方法であって、
優先権送信機器が、前記複数の端末のうちの特定の端末が優先権を有することを表す優先権情報を、前記複数の端末の何れか１つの端末に送信する優先権情報送信過程と、
前記優先権情報を受信した端末が、機能を制限する端末を表す制限端末情報に基づいて当該機能を制限する端末に前記制限する機能を表す機能制限情報を前記通信ネットワークを介して送信する機能制限情報送信過程と、
前記機能制限情報を受信した端末が、前記機能制限情報で示される機能を制限する機能制限過程と、を備えることを機能制限方法。
【請求項２】
前記優先権送信機器は、赤外線発信部を備えたリモコンであり、
前記優先権情報送信過程において、
前記リモコンは、前記赤外線発信部から前記優先権情報と前記機能制限情報と前記制限端末情報とを赤外線信号により送信し、
前記優先権情報を受信した端末は、赤外線受信部が受信した赤外線信号に含まれる前記優先権情報と前記機能制限情報と前記制限端末情報とを受付けることを特徴とする請求項１に記載の機能制限方法。
【請求項３】
前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、
前記機能制限情報は、前記機能制限情報を受付けた端末に対して前記通信ネットワーク上の他の端末が保持する共有ファイルの内容を当該他の端末の画面に表示させる機能を制限することを表す情報である
請求項１または請求項２の何れかに記載の機能制限方法。
【請求項４】
前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、
前記機能制限情報は、前記機能制限情報を受付けた端末に対して前記表示部に表示した画面情報の操作を制限することを表す情報である
請求項１または請求項２の何れかに記載の機能制限方法。
【請求項５】
前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、
前記機能制限情報は、前記機能制限情報を受付けた端末に対して前記共有ファイルの一覧の情報の要求を制限することを表す情報である
請求項１または請求項２の何れかに記載の機能制限方法。
【請求項６】
前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、
前記機能制限情報は、前記機能制限情報を受付けた端末に対して前記自身で保持する共有ファイルの内容を表示した画面情報を前記他の端末に送信する機能を制限することを表す情報である
請求項１または請求項２に記載の機能制限方法。
【発明の詳細な説明】
【０００１】
【発明の属する技術分野】
この発明は、コンピュータシステムに係り、特に、複数の端末を備えた通信ネットワークにおける端末の機能制限方法に関するものである。
【０００２】
【従来の技術】
従来、会議などの共同作業において当該共同作業に出席する各出席者がＰＣなどの端末を持ち込んで作業を行なう場合や、教育現場において生徒と教師がＰＣなどの端末を持ち込んで授業を行う場合に、その作業や授業進行の効率を上げるために会議や授業への各出席者の端末の画面をネットワークを介して共有する技術が存在する。尚、会議などにおいて端末を用いて作業を行う技術として特許文献１や特許文献２が公開されている。
また、ネットワークを介して画面を共有する本発明の関連技術として、特願２００３−００２１４８が出願されている。
【０００３】
【特許文献１】
特開平３−５８６５８号公報
【特許文献２】
特開平７−２５４９１１号公報
【０００４】
【発明が解決しようとする課題】
ここで、上述の画面を共有する技術において、ネットワークに接続されている各端末が、ネットワーク上の全ての他の端末に共有ファイルの内容を表示した画面情報を配信できる機能や、他の端末に存在する共有ファイルを編集したり、他の端末に存在する共有ファイルの内容を当該他の端末の画面に表示したりできる機能を保持している場合には、各端末は他の端末から共有ファイルの内容を表示するコマンドを受付けたり、他の端末が保持する共有ファイルの内容を表示するコマンドの送信を行ったりできるので、共有ファイルにアクセスする権限が対等な関係となる。
しかしながら、例えば、教育現場などにおいてネットワークを介して端末の画面を共有する場合は、教師が特定の端末で表示された共有ファイルの画面のみ他の端末に配信を許可する制限をしたり、特定の端末に保持されている共有ファイルへのアクセスのみ許可するといった制限をする必要が出てくる。
そこでこの発明は、画面を共有できる通信ネットワークに接続された端末の機能制限方法を提供することを目的としている。
【０００５】
【課題を解決するための手段】
本発明は、上述の課題を解決すべくなされたもので、複数の端末を備えた通信ネットワークにおける前記端末の機能制限方法であって、優先権送信機器が、前記複数の端末のうちの特定の端末が優先権を有することを表す優先権情報を、前記複数の端末の何れか１つの端末に送信する優先権情報送信過程と、前記優先権情報を受信した端末が、機能を制限する端末を表す制限端末情報に基づいて当該機能を制限する端末に前記制限する機能を表す機能制限情報を前記通信ネットワークを介して送信する機能制限情報送信過程と、前記機能制限情報を受信した端末が、前記機能制限情報で示される機能を制限する機能制限過程とを備えることを機能制限方法である。
【０００６】
上述の構成によれば、優先権送信機器が前記複数の端末の何れか１つの端末に優先権情報を送信し、優先権情報を受付けた端末が、機能を制限する端末を示す制限端末情報に基づいて当該機能を制限する端末に機能制限情報を送信する。そして、機能制限情報を受付けた端末が、機能制限情報で示される機能を制限する。これにより、リモコンなどの優先権送信機器を用いれば、画面を共有できるネットワークに接続された端末の機能を簡単に制限をすることができる。また、優先権情報を受付けた端末を経由して制限端末情報が示す端末に機能制限情報を送信するので、直接制限端末情報が示す端末に機能制限情報を送信する必要がないので、機能を制限する端末の場所が遠くても機能を制限することができる。
【０００７】
また本発明は、前記優先権送信機器は、赤外線発信部を備えたリモコンであり、前記優先権情報送信過程において、前記リモコンは、前記赤外線発信部から前記優先権情報と前記機能制限情報と前記制限端末情報とを赤外線信号により送信し、前記優先権情報を受信した端末は、赤外線受信部が受信した赤外線信号に含まれる前記優先権情報と前記機能制限情報と前記制限端末情報とを受付けることを特徴とする。これにより、リモコンなどの優先権送信器を利用するだけで、特定の端末の機能を制限するよう操作することができる。
【０００８】
また本発明は、前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、前記機能制限情報は、前記機能制限情報を受付けた端末に対して前記通信ネットワーク上の他の端末が保持する共有ファイルの内容を当該他の端末の画面に表示させる機能を制限することを表す情報である。これにより、制限端末情報が示す端末において、他の端末が保持する共有ファイルの内容を当該他の端末の画面に表示できる機能を制限することができる。
【０００９】
また本発明は、前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、前記機能制限情報は、前記機能制限情報を受付けた端末に対して前記表示部に表示した画面情報の操作を制限することを表す情報である。これにより、制限端末情報が示す端末において、他の端末から受付けた画面情報を操作（例えば、編集や削除などの操作）できる機能を制限することができる。
【００１０】
また本発明は、前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、前記機能制限情報は、前記機能制限情報を受付けた端末に対して前記共有ファイルの一覧の情報の要求を制限することを表す情報である。これにより、制限端末情報が示す端末において、他の端末が保持する共有ファイルを参照する機能を制限することができる。
【００１１】
また本発明は、前記複数の端末各々が、自身で保持する共有ファイルの内容を表示した画面情報を前記通信ネットワークを介して他の端末に送信する機能と、前記他の端末から前記通信ネットワークを介して受信した画面情報を表示部に表示する機能と、前記他の端末が保持する共有ファイルの内容を表示した画面情報を当該他の端末の画面に表示させる機能と、前記表示部に表示した他の端末が保持する共有ファイルの内容を表す画面情報を操作する機能と、前記他の端末が保持する共有ファイルの一覧の情報を当該他の端末に要求して当該一覧の情報を表示部に表示する機能とを有し、前記機能制限情報は、前記機能制限情報を受付けた端末に対して前記自身で保持する共有ファイルの内容を表示した画面情報を前記他の端末に送信する機能を制限することを表す情報である。これにより、制限端末情報が示す端末において、その端末自身が保持する共有ファイルの内容を表す画面情報の配信機能を制限することができる。
【００１２】
【発明の実施の形態】
以下、本発明の一実施形態による画面受配信端末を図面を参照して説明する。図１は、この発明の一実施形態による画面受配信端末の構成を示す概略ブロック図である。
この図において符号１は画面受配信端末である。本実施形態においては、複数の画面受配信端末１が通信ネットワークに接続されており、各画面受配信端末１は、通信ネットワークに接続された全ての画面受配信端末１が保持する共有ファイルの内容を表す画面情報を受配信して、共有ファイルの内容を共有する。
【００１３】
また符号１０１は送受信部であり、通信ネットワークに接続された他の画面受配信端末１との各種情報の送受信を行う。また符号１０２は赤外線受信部であり、リモコン（優先権送信機器）の赤外線発信部から送信された優先権情報と制限端末情報と機能制限情報とを受信する。尚、優先権情報とは画面受配信端末１に対して機能制限情報の送信を許可する為の情報であり、画面受配信端末１は優先権情報を受付けなければ機能制限情報を他の画面受配信端末１に送信することが出来ない。また制限端末情報は機能制限情報の送信先の画面受配信端末１を示す情報であり、例えば、画面受配信端末１のコンピュータ名などの情報を格納している。また機能制限情報は、その制限端末情報で示される画面受配信端末１において制限する機能を示す情報である。
【００１４】
尚、機能制限情報が示す情報としては、「画面情報配信制限」と「他端末画面情報操作制限」と「他端末共有ファイル表示制限」と「他端末共有ファイル操作制限」がある。そして「画面情報配信制限」とは共有ファイルの内容を表示した画面情報の配信処理を停止する制限である。また「他端末画面情報操作制限」とは受信した他の端末が保持する共有ファイルの内容を表す画面情報に対しての操作（例えば、受付けた画面情報が文書情報を表す情報であれば、その文書の削除や修正など）を停止する制限である。また「他端末共有ファイル表示制限」とは他の画面受配信端末１が保持している共有ファイルの一覧の表示を停止する制限である。また「他端末共有ファイル操作制限」とは他の画面受配信端末１が保持している共有ファイルの内容を当該他の端末の画面へ表示したり、またその共有ファイルを削除したりできる処理を停止する制限である。
【００１５】
また符号１０３は機能制限情報送信処理部であり、赤外線受信部１０２が受信した優先権情報と制限端末情報と機能制限情報とを受付けて、制限端末情報で示される通信ネットワーク上の他の画面受配信端末１に機能制限情報を送信する。
また符号１０４は制限処理部であり、通信ネットワークを介して送受信部１０１が受付けた機能制限情報が示す機能を処理する処理部の動作停止を指示する。また１０５は画面情報配信処理部であり、モニタに内容が表示された共有ファイルの画面情報の配信処理を行う。尚、送受信部１０１が通信ネットワークを介して受付けた機能制限情報が「画面情報配信制限」を示す時は制限処理部１０４は画面情報配信処理部１０５に対して機能の停止を指示し、画面情報配信処理部１０５が機能を停止する。
【００１６】
また１０６は他端末画面情報操作処理部であり、他の画面受配信端末１から受信してモニタに表示した画面情報に対する操作の指示を操作処理部より受付けて当該指示に対応する処理を行なう。尚、送受信部１０１が通信ネットワークを介して受付けた機能制限情報が「他端末画面情報操作制限」を示す時は、制限処理部１０４は他端末画面情報操作処理部１０６に対して機能の停止を指示し、他端末画面情報操作処理部１０６が機能を停止する。
【００１７】
また１０７は他端末共有ファイル表示処理部であり、他の画面受配信端末１の保持する共有ファイルの一覧情報の要求を行い、それに対応して受付けた共有ファイルの一覧情報の表示を処理する。尚、送受信部１０１が通信ネットワークを介して受付けた機能制限情報が「他端末共有ファイル表示制限」を示す時は、制限処理部１０４は他端末共有ファイル表示処理部１０７に対して機能の停止を指示し、他端末共有ファイル表示処理部１０７が機能を停止する。
【００１８】
また１０８は他端末共有ファイル操作処理部であり、他の画面受配信端末１が保持する共有ファイル当該他の端末の画面への表示や削除の操作の指示を操作処理部より受付けて当該指示に対応する処理を行なう。尚、送受信部１０１が通信ネットワークを介して受付けた機能制限情報が「他端末共有ファイル操作制限」を示す時は、制限処理部１０４は他端末共有ファイル操作処理部１０８に対して機能の停止を指示し、他端末共有ファイル操作処理部１０８が機能を停止する。
【００１９】
また１０９は共有ファイル記憶部であり共有ファイルを記憶している。また１１０は自端末共有ファイル操作処理部であり、共有ファイル記憶部で記憶している共有ファイルをモニタに表示する処理や変更処理の操作の指示を操作処理部より受付けて当該指示に対応する処理を行なう。また１１１は表示処理部であり、自端末共有ファイル操作処理部１１０が共有ファイル記憶部１０９の記憶する共有ファイルの内容をモニタに表示した場合の画面情報や、他の端末から受信した画面情報をモニタやプロジェクタに表示する処理を行なう。また１１２は操作処理部であり、画面受配信端末１に備えられたキーボードやマウスからの入力を他の処理部に伝える処理を行なう。
【００２０】
図２は複数の画面受配信端末１が通信ネットワークに接続された様子を示す図である。尚、この図は、通信ネットワークに画面受配信端末１Ａ、画面受配信端末１Ｂ、画面受配信端末１Ｃ、画面受配信端末１Ｄが接続されている様子を示しており、画面受配信端末１Ａ〜１Ｄはそれぞれ共有ファイルＡ〜Ｄを保持している。
ここで、この通信ネットワークにおいて共有ファイルを共有する各機能について画面受配信端末１Ａとが面従配信端末１Ｃとを用いて説明する。尚、便宜上、画面情報受配信端末１Ａにおける各処理部を１０１Ａ〜１１２Ａとして表記し、画面情報受配信端末１Ｃにおける各処理部を１０１Ｃ〜１１２Ｃとして表記することとする。
【００２１】
［機能１］
まず、画面受配信端末１Ａが自身で保持する共有ファイルＡの内容をモニタに表示した際の機能について説明する。
画面受配信端末１Ａを操作するユーザがモニタに表示されている共有ファイルＡのアイコンをマウスでクリックすると、操作処理部１１２Ａが自端末共有ファイル操作処理部１１０Ａに共有ファイルＡの内容の画面への表示を指示する。すると自端末共有ファイル操作処理部１１０Ａは共有ファイルＡを共有ファイル記憶部１０９Ａから読み取ってその共有ファイルＡの内容を表示する処理を行なう。また、そのとき自端末共有ファイル操作処理部１１０Ａは、共有ファイルＡの内容を表示した画面情報を画面情報配信処理部１０５Ａに転送する。そして、画面情報配信処理部１０５Ａは送受信部１０１Ａを介して通信ネットワーク上の画面受配信端末１Ｂ〜画面受配信端末１Ｄに画面情報を送信する。
次に、画面受配信端末１Ｂ〜画面受配信端末１Ｄにおいて画面情報のモニタへの表示処理が行われるが、画面受配信端末１Ｃにおける処理を例にあげると、まず、画面受配信端末１Ｃの送受信部１０１Ｃが画面受配信端末１Ａから画面情報を受信して、表示処理部１１１Ｃが画面情報をモニタに表示する。
尚、この［機能１］の機能を制限する機能制限情報が、上述の「画面情報配信制限」を示す情報である。
【００２２】
［機能２］
次に、画面受配信端末１Ｃが画面受配信端末１Ａから受付けた画面情報を操作する際の機能について説明する。
ここで画面受配信端末１Ｃのモニタに表示されている画面情報の内容が文書のデータであるとする。まず、画面受配信端末１Ｃを操作するユーザが、画面情報によりモニタに表示されている文書中の文字の変更を行う為に、キーボードやマウスを用いて入力情報（例えば、キーボードの特定のキーを叩いた情報や、マウスをクリックした情報など）を入力すると、操作処理部１１２は他端末画面情報操作処理部１０６Ｃに入力情報を転送する。すると他端末画面情報操作処理部１０６Ｃは入力情報を画面情報を送信した画面受配信端末１Ａに送信するよう指示する。そして送受信部１０１Ｃが画面情報を画面受配信端末１Ａに送信する。
【００２３】
画面受配信端末１Ａの送受信部１０１Ａが画面受配信端末１Ｃから入力情報の送信を受付けると、当該入力情報を自端末共有ファイル操作処理部１１０Ａに転送する。そして、自端末共有ファイル操作処理部１１０Ａが入力情報に基いて共有ファイルＡの情報を変更し、当該変更した共有ファイルＡの画面情報を画面情報配信処理部１０５Ａに転送する。そして、画面情報配信処理部１０５Ａは変更された画面情報を通信ネットワーク上に送信するよう送受信部１０１Ａに指示する。そして送受信部１０１Ａは変更された画面情報を通信ネットワーク上に送信すると、当該変更された画面情報を画面情報配信処理部１Ｂ〜画面受配信端末１Ｄが受信する。
尚、この［機能２］の機能を制限する機能制限情報が、上述の「他端末画面情報操作制限」を示す情報である。
【００２４】
［機能３］
次に、共有ファイルの一覧を表示する際の機能について説明する。
まず画面受配信端末１Ａが通信ネットワークに接続されている画面受配信端末１Ｂ〜画面受配信端末１Ｄが保持している共有ファイルの一覧をモニタに表示する場合、ユーザがキーボードやマウスを用いて共有ファイルの一覧の指示（たとえば、モニタに表示されている共有ファイルのフォルダを示すアイコンをクリックする）をすると、操作処理部１１２Ａは他端末共有ファイル表示処理部１０７Ａに対して共有ファイル一覧の表示処理を開始する指示を行う。すると、他端末共有ファイル表示処理部１０７Ａは共有ファイル情報要求を通信ネットワーク上に送信するよう送受信部１０１Ａに指示する。そして送受信部１０１Ａが共有ファイル情報要求を通信ネットワーク上に送信する。
【００２５】
次に、画面受配信端末１Ｂ〜画面受配信端末１Ｄが共有ファイル情報要求を受付けるが、画面受配信端末１Ｃにおける処理を例にあげると、まず画面受配信端末１Ｃの送受信部１０１Ｃが共有ファイル情報要求を受信して、自端末共有ファイル操作処理部１１０Ｃに転送する。すると共有ファイル操作処理部１１０Ｃは共有ファイル記憶部１０９Ｃが記憶している共有ファイルの情報を送受信部１０１Ｃに転送する。そして送受信部１０１Ｃが通信ネットワークを介して画面受配信端末１Ａに共有ファイルの情報を送信する。
画面受配信端末１Ａの送受信部１０１Ａは共有ファイルの情報を画面受配信端末１Ｃから受付けると、他端末共有ファイル表示処理部１０７Ａに当該共有ファイルの情報を転送する。そして他端末共有ファイル表示処理部１０７Ａは共有ファイルの情報の一覧を表示処理部１１１Ａに転送する。そして表示処理部１１１Ａが表優ファイルの一覧をモニタに表示する。
尚、この［機能３］の機能を制限する機能制限情報が、上述の「他端末共有ファイル表示制限」を示す情報である。
【００２６】
［機能４］
次に、他の画面受配信端末の保持する共有ファイルを当該他の端末のモニタに表示させる際の機能について説明する。
まず、［機能３］により画面受配信端末１Ａのモニタには画面受配信端末１Ｃの共有ファイルの一覧が表示されているとする。ここで、画面受配信端末１Ａのユーザがモニタに表示されている共有ファイルＣをマウスを用いてクリックすると、画面受配信端末１Ａの操作処理部１１２Ａが共有ファイルＣの内容を表示するよう通知する。すると、他端末共有ファイル操作処理部１０８Ａは共有ファイルＣの内容を表示する為の内容表示指示情報を送受信部１０１Ａに転送する。尚、この内容表示指示情報は画面受配信端末１Ｃに送信されるよう設定されている。そして送受信部１０１Ａが画面受配信端末１Ｃに共有ファイルＣの内容表示指示情報を送信する。
【００２７】
次に、画面受配信端末１Ｃの送受信部１０１が画面受配信端末１Ａから内容表示指示情報を受信して、当該内容表示指示情報を自端末共有ファイル操作処理部１１０Ｃに転送する。そして自端末共有ファイル操作処理部１１０Ｃは共有ファイル記憶部１０９Ｃの記憶している共有ファイルＣの内容をモニタに表示する。
そして共有ファイルＣの画面情報が画面情報配信処理部１０５Ｃに転送されて、送受信部１０１Ｃを介して画面情報端末１Ａに送信される。そして、この後の処理は［機能１］と同様である。
尚、この［機能４］の機能を制限する機能制限情報が、上述の「他端末共有ファイル操作制限」を示す情報である。
【００２８】
次に、通信ネットワーク上の特定の画面受配信端末の機能を停止させる処理について説明する。尚、この説明においては画面受配信端末１Ａが画面受配信端末１Ｃの上述の［機能１］を停止させる処理について説明する。
まず、ユーザＡがリモコンを用いて機能を制限する画面受配信端末１Ｃを設定し、また制限する機能として［機能１］を設定する。そして、リモコンを画面受配信端末１Ａの赤外線受信部１０２Ａに向けて送信のボタンを押すと、優先権情報と、［機能１］を示す機能制限情報と、画面受配信端末１Ｃの制限端末情報（例えば、通信ネットワーク上で画面受配信端末１Ｃを特定できるコンピュータ名など）とがリモコンから送信される。次に画面受配信端末１Ａの赤外線受信部１０２Ａがリモコンから発信された優先権情報と機能制限情報と制限端末情報とを受付ける。次に、画面受配信端末１Ａの機能制限情報送信処理部１０３Ａが優先権情報の受信に基づいて機能制限情報の送信が許可されたことを判断し、制限端末情報で示される画面受配信端末１Ｃ宛てに機能制限情報を送信するよう送受信部１０１Ａに通知する。すると送受信部１０１Ａが機能制限情報を画面受配信端末１Ｃに送信する。
【００２９】
次に、画面受配信端末１Ｃの送受信部１０１Ｃが機能制限情報を受付ける。そして送受信部１０１Ｃは機能制限情報は制限処理部１０４Ｃに転送する。制限処理部１０４Ｃは機能制限情報で示される機能が［機能１］の情報であるので、画面情報配信処理部１０５Ｃに機能の停止を通知する。そして、画面情報配信処理部１０５Ｃは機能を停止する。
これにより、例えば、共有ファイル記憶部１０９に記録されている共有ファイルＣの内容をユーザＣがモニタに表示したとしても、その画面情報は送受信部１０１を介して他の端末に送信されることがない。
尚、ユーザＡはリモコンを用いて制限する機能と、当該機能を制限する端末を決定して、同様に各画面配信端末１Ｂ〜画面受配信端末１Ｄの機能を停止することができる。
【００３０】
次に、リモコンの表示部に表示される情報について説明する。
図３はリモコンの表示部に表示される情報を示す図である。この図が示すように、リモコンの表示部には画面受配信端末１Ａ〜１Ｄの端末名毎に制限する機能を指定するためのチェックボックスが表示されている。そして、ユーザは例えばこのチェックボックスにチェックをするような操作をリモコンで行い、画面受配信端末１Ａ〜１Ｄの何れかに赤外線発信部を向けて送信ボタン押す。するとリモコンはチェックボックスで指定された機能を示す機能制限情報と、その機能を制限する制限端末情報を赤外線発信部から送信する。
【００３１】
以上、本発明の実施形態について述べたが、上述の画面受配信端末は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３２】
また、本実施形態においては、ユーザがリモコンを用いて優先権情報と機能制限情報と制限端末情報を画面受配信端末に送信しているが、例えば、ＵＳＢ（Ｕｎｉｖｅｒｓａｌ  Ｓｅｒｉａｌ  Ｂｕｓ）ケーブルを介して情報を送信する様な小さな機器が優先権情報のみを画面受配信端末に送信してもよい。そして、画面受配信端末１が図３に示したような画面の情報を表示する機能を備えて、画面受配信端末１において制限する機能の種類の指定と、制限する端末の特定を受付けるようにして、画面受配信端末１が機能制限情報と制限端末情報を生成するようにしても良い。
【図面の簡単な説明】
【図１】画面受配信端末の構成を示す概略ブロック図である。
【図２】画面受配信端末が通信ネットワークに接続された様子を示す図である。
【図３】リモコンの表示部に表示される情報を示す図である。
【符号の説明】
１  画面受配信端末、１０１  送受信部、１０２  赤外線受信部、１０３  機能制限情報送信処理部、１０４  制限処理部、１０５  画面情報配信処理部、１０６  他端末画面情報操作処理部、１０７  他端末共有ファイル表示処理部、１０８  他端末共有ファイル操作処理部、１０９  共有ファイル記憶部、１１０  自端末共有ファイル操作処理部、１１１  表示処理部、１１２  操作処理部
【図１】
2004280579.tif 000003
【図２】
2004280579.tif 000004
【図３】
2004280579.tif 000005